(57)【特許請求の範囲】
【請求項１】
３つの一次独立な分光感度を有する撮像媒体に撮影されて収録された画像データまたは３つの一次独立な分光感度を有する撮像デバイスで撮影された画像データを、３つ以上の原色からなる出力媒体に出力するに際して、
前記分光感度のデータを付帯情報として、前記画像データとともに出力デバイスに供給し、
供給された前記分光感度のデータに基づいて、前記出力デバイスで用いられる前記出力媒体の原色に関する、露光濃度（積分濃度）をグレーで規格化した中性化積分濃度プロファイルを作成し、
作成された中性化積分濃度プロファイルに従って前記画像データを前記出力デバイス固有の信号に変換することを特徴とする色管理方法。
【請求項２】
モニタ上に表示されている画像データを、３つ以上の原色からなる出力媒体に出力するに際して、
前記モニタの３つの原色に対応する分光感度を求め、
求められた分光感度を負の領域を持たない分光感度で近似し、
この近似された分光感度のデータを付帯情報として、前記画像データとともに出力デバイスに供給し、
供給された前記近似分光感度のデータに基づいて、前記出力デバイスで用いられる前記出力媒体の原色に関する、露光濃度（積分濃度）をグレーで規格化した中性化積分濃度プロファイルを作成し、
作成された中性化積分濃度プロファイルに従って前記画像データを前記出力デバイス固有の信号に変換することを特徴とする色管理方法。
【請求項３】
３つの一次独立な分光感度を有する撮像媒体に撮影されて収録された画像データまたは３つの一次独立な分光感度を有する撮像デバイスで撮影された画像データを、３つ以上の原色からなる出力媒体に出力するための出力デバイス固有の信号を変換する色管理装置であって、
前記分光感度のデータを付帯情報として前記画像データとともに出力デバイスに供給する手段と、
この供給手段によって供給された前記分光感度のデータに基づいて、前記出力デバイスで用いられる前記出力媒体の原色に関する、露光濃度（積分濃度）をグレーで規格化した中性化積分濃度プロファイルを作成する手段と、
この作成手段によって作成された前記中性化積分濃度プロファイルに従って前記画像データを前記出力デバイス固有の信号に変換する手段とを有することを特徴とする色管理装置。
【請求項４】
モニタ上に表示されている画像データを、３つ以上の原色からなる出力媒体に出力するための出力デバイス固有の信号に変換する色管理装置であって、
前記モニタの３つの原色に対応する分光感度を求め、この分光感度を負の領域を持たない分光感度で近似し、この近似された分光感度のデータを付帯情報として、前記画像データとともに出力デバイスに供給する手段と、
この供給手段によって供給された前記近似分光感度のデータに基づいて、前記出力デバイスで用いられる前記出力媒体の原色に関する、露光濃度（積分濃度）をグレーで規格化した中性化積分濃度プロファイルを作成する手段と、
この作成手段によって作成された前記中性化積分濃度プロファイルに従って前記画像データを前記出力デバイス固有の信号に変換する手段とを有することを特徴とする色管理装置。
【発明の詳細な説明】
【０００１】
【発明の属する技術分野】
本発明は、様々なメディアが混在するイメージングシステムに適用される色管理方法および装置に関する。
【０００２】
【従来の技術】
デジタル技術の進展に伴って、様々なメディア（入出力媒体）が混在するイメージングシステム、いわゆるメディアミックスシステムが成立するようになってきている。このメディアミックスシステムでは、メディアあるいはデバイス（入出力デバイス）間の分光感度や原色の相違が極めて大きいので、システムの色再現精度は色管理（カラーマネージメント）の方法で決まるといえる。
【０００３】
色管理は、幾つかの構成要素、例えばセットアップ、色補正（色変換）、ＱＦ補正（測色品質係数）、絵作りおよび出力系変換などの構成要素に分解できる。
ここで、セットアップとは、濃度バランスおよびホワイトバランスを取る手続きで、具体的にはｌｏｇＥシフトをイメージすれば良く、その内容は、自動露光量補正（ＡＥ）や自動ホワイトバランス補正（ＡＷＢ）である。
次に、色補正（色変換）とは、図９に示すように、撮像メディア（媒体）、例えばカラーネガティブフィルムの分光感度や撮像デバイス、例えば、ＣＣＤの分光感度に対応する原色［Ｂ］，［Ｇ］，［Ｒ］を参照して、有効露光量Ｂ，Ｇ，Ｒに色度を対応させる手続きである。すなわち、色補正の内容は、原色参照である。
【０００４】
また、ＱＦ補正は、撮像メディアまたは撮像デバイスの分光感度と等色関数とのズレに起因する誤差の補正であるが、この誤差は原理的に補正できない。従ってＱＦ補正とは、この誤差を何処にどのように分散させるかという問題に帰着される。従って、ＱＦ補正の内容は、誤差分散であるということができる。なお、ＱＦ＝１は人間の目と全く同じで、ズレがない場合であり、ＱＦ＝０は人間の目から全くズレてしまって視覚的に全く一致しない場合を示す。
絵作りは、ガンマ補正や好ましい色再現やレンジ圧縮等の種々の処理を指す。
出力系変換は、ハブ空間の原色から出力系の原色への原色変換であるが、減法混色（ハードコピー）系では一般に原色が定まらないので、３次元ルックアップテーブルを用いたマッピングが用いられる。
【０００５】
本発明の主眼は、色管理の基本スキーム確立であるので、セットアップと絵作りは考察の対象から除くが、その際セットアップと色補正とが独立あるいは交換可能でなくてはならないことに注意をする必要がある。両者が独立でない場合には、色補正がセットアップ条件に依存し、デフォルトの色補正、すなわち、予め指定された初期色補正を設定できなくなる。また、実際のカメラでは、ハード上の制約から十分なセットアップを実行できないので、プリンタで一定のセットアップを行う必要がある。すなわち、セットアップを色補正の前でも後でも挿入できることが要求され、従って色補正とセットアップは交換可能でなくてはならない。簡単な例では、カラーネガフィルムのマスキングや重層効果が挙げられる。これらは近似的に対数スケール上の３行３列のマトリクスで表わされる色補正であるので、下記式（１）に示すように、セットアップとは独立である。このため、セットアップが全く働かない撮影環境（例えば、写ルンです（富士写真フイルム（株）製））でも、下記式（２）に示すように、デフォルト色補正（同一感光材料）で良くかつプリント段階でセットアップを掛けることが可能になる。すなわち、対数変換されているので、下記式（１）に示すように、和として表わすことができるし、和として表わすことができるので、下記式（２）に示されるように、バイアスとして付加されたものは、後の段階でも除くことができる。
【０００６】
【数１】
0003936041.tif 000002
【０００７】
色補正は、原色を参照する手続きであるので、本来は真数スケール上の３行３列のマトリクスで表わされるべきであるが、容易に判るように、この演算はフォンクリースタイプの自動ホワイトバランス補正とは独立でない。また、対数スケール上の３行９列のマトリクスも良く用いられるが、この演算もクロスタームを有するのでセットアップと独立ではない。これらの手法を適用するには、前処理の段階でセットアップが完了していなくてはならない。
【０００８】
現在、複数の色管理方法が提案されているが、いずれも原色を媒介にして色を管理するという意味では同じ基本思想に基づいている。簡単のため、従来の原色による色管理法を原色法と呼ぶ。原色法は概念的には以下の構成を取ることになる。
原色法は、例えば、図１０（ａ）に示すように、被写体や、被写体をアナログカメラで撮影した透過媒体（カラーネガティブフィルムやカラーポジティブフィルム）などの原画像（Original）を撮像デバイス（ＣＣＤなど）の入力デバイスで真数スケールの原色の有効露光量（Ｅｘｐ；ｆＲ，ｆＧ，ｆＢ）に変換し、得られた有効露光量（Ｅｘｐ；ｆＲ，ｆＧ，ｆＢ）を３行３列（３×３）マトリックスによって３刺激値（Ｘ，Ｙ，Ｚ）に変換し、次に、得られた３刺激値（Ｘ，Ｙ，Ｚ）に硬調化処理（例えば、γ＝１．８）を施した後、得られた硬調化３刺激値（Ｘ，Ｙ，Ｚ）を３次元ルックアップテーブル（３Ｄ−ＬＵＴ）で処理して、出力デバイス、例えばデジタルフォトプリンタに固有の信号に変換し、変換された固有の信号に基づいて出力媒体、例えばカラー感光材料（カラーペーパー；ＣＰ）に記録し、再現する方法である。
【０００９】
しかし実際には、前述したセットアップとの独立性を考慮して、図１０（ｂ）に示すように、真数スケールの原色の有効露光量（Ｅｘｐ）および３刺激値（Ｘ，Ｙ，Ｚ）の代わりに、対数スケールの原色の有効露光量（ｌｏｇＥ）および３刺激値（ｌｏｇＸ，ｌｏｇＹ，ｌｏｇＺ）を用いる構成を取ることが多い。
この方法は直感的で理解し易く、また、ハブ空間という概念が自然に導入される等の利点を有するが、色再現の精度が不十分であるという欠点や、原色が、加法混色系の概念であるために、減法混色系特有の絵作りノウハウが適用できないなどの欠点を抱えている。
これらの欠点は、ＣＲＴなどのモニタ（またはモニタに関する規格；FlashPix.Core ）のようなソフトコピー出力を前提にしている系では問題にならないが、カラーペーパー（印画紙）のようなハードコピー出力を前提にしている系では大きな問題になる。
【００１０】
ところで、色管理が行われるイメージングの目的は、下記式（３）に示すように、与えられた色光ｆ（λ）に対して、出力系（再現系、表示系）の原色Ｙ（λ），Ｍ（λ），Ｃ（λ）の混合量ａＹ，ａＭ，ａＣを制御して、視覚的に同一な色光（メタマー）を作ることであるといえる。
ｆ（λ）＝ａＹＹ（λ）＋ａＭＭ（λ）＋ａＣＣ（λ）……（３）
すなわち、色管理とは、与えられた色光ｆ（λ）に関する撮像系の分光感度Ｂ（λ），Ｇ（λ），Ｒ（λ）の有効露光量ｆＢ，ｆＧ，ｆＲから、出力系の原色の混合量ａＹ，ａＭ，ａＣへの変換を与えることである。
ここで、従来の色管理方法は、基本的に上述した原色法であり、撮像系の分光感度Ｂ（λ），Ｇ（λ），Ｒ（λ）に対応する原色の３刺激値、および出力系の原色の３刺激値から構成されるヤコビ行列を用いて、下記式（４）に示すように、入力撮像系の有効露光量ｆＢ，ｆＧ，ｆＲから、出力再現系（または出力表示系）の混合量ａＹ，ａＭ，ａＣに変換することによって行われている。
【００１１】
【数２】
0003936041.tif 000003
【００１２】
【発明が解決しようとする課題】
この方法は、上述した原色法であるので、直感的で判り易いが、撮像系の分光感度が等色関数の線型結合で表わされない場合、原色が一意的に定まらず、色再現精度が低くなるという問題点がある。
また、実際のイメージングシステムでは、コストやハード構成上の制約から、色変換、すなわち色補正の前に十分なセットアップ（自動露光量補正および自動ホワイトバランス補正）を掛けられない場合が多い。このような場合は、色補正の後にセットアップを行う、すなわち色補正とセットアップの処理順序を入れ替える必要があるが、一般に下記式（５）を満たす演算子◎は存在しないので、従来の原色法では色変換とセットアップの処理順序を入れ替えることができないという問題もある。
【００１３】
【数３】
0003936041.tif 000004
【００１４】
本発明の目的は、上記従来技術の問題点を解消し、色再現精度が高く、また、セットアップと色補正との処理順序を入れ替えることのできる色管理方法およびこの色管理方法を用いる色管理装置を提供することにある。
【００１５】
【課題を解決するための手段】
上記目的を達成するために、本発明は、等価中性濃度を積分濃度（光学濃度、露光濃度）に拡張した中性化積分濃度を用いて色変換（色補正）を行うことを特徴とする。
すなわち、本発明は、３つの一次独立な分光感度を有する撮像媒体に撮影されて収録された画像データまたは３つの一次独立な分光感度を有する撮像デバイスで撮影された画像データを、３つ以上の原色からなる出力媒体に出力するに際して、前記分光感度のデータを付帯情報として、前記画像データとともに出力デバイスに供給し、供給された前記分光感度のデータに基づいて、前記出力デバイスで用いられる前記出力媒体の原色に関する、露光濃度（積分濃度）をグレーで規格化した中性化積分濃度プロファイルを作成し、作成された中性化積分濃度プロファイルに従って前記画像データを前記出力デバイス固有の信号に変換することを特徴とする色管理方法を提供するものである。
【００１６】
また、本発明は、モニタ上に表示されている画像データを、３つ以上の原色からなる出力媒体に出力するに際して、前記モニタの３つの原色に対応する分光感度を求め、求められた分光感度を負の領域を持たない分光感度で近似し、この近似された分光感度のデータを付帯情報として、前記画像データとともに出力デバイスに供給し、供給された前記近似分光感度のデータに基づいて、前記出力デバイスで用いられる前記出力媒体の原色に関する、露光濃度（積分濃度）をグレーで規格化した中性化積分濃度プロファイルを作成し、作成された中性化積分濃度プロファイルに従って前記画像データを前記出力デバイス固有の信号に変換することを特徴とする色管理方法を提供するものである。
【００１７】
また、本発明は、３つの一次独立な分光感度を有する撮像媒体に撮影されて収録された画像データまたは３つの一次独立な分光感度を有する撮像デバイスで撮影された画像データを、３つ以上の原色からなる出力媒体に出力するための出力デバイス固有の信号を変換する色管理装置であって、前記分光感度のデータを付帯情報として前記画像データとともに出力デバイスに供給する手段と、この供給手段によって供給された前記分光感度のデータに基づいて、前記出力デバイスで用いられる前記出力媒体の原色に関する、露光濃度（積分濃度）をグレーで規格化した中性化積分濃度プロファイルを作成する手段と、この作成手段によって作成された前記中性化積分濃度プロファイルに従って前記画像データを前記出力デバイス固有の信号に変換する手段とを有することを特徴とする色管理装置を提供するものである。
【００１８】
また、本発明は、モニタ上に表示されている画像データを、３つ以上の原色からなる出力媒体に出力するための出力デバイス固有の信号に変換する色管理装置であって、前記モニタの３つの原色に対応する分光感度を求め、この分光感度を負の領域を持たない分光感度で近似し、この近似された分光感度のデータを付帯情報として、前記画像データとともに出力デバイスに供給する手段と、この供給手段によって供給された前記近似分光感度のデータに基づいて、前記出力デバイスで用いられる前記出力媒体の原色に関する、露光濃度（積分濃度）をグレーで規格化した中性化積分濃度プロファイルを作成する手段と、この作成手段によって作成された前記中性化積分濃度プロファイルに従って前記画像データを前記出力デバイス固有の信号に変換する手段とを有することを特徴とする色管理装置を提供するものである。
【００１９】
【発明の実施の形態】
本発明に係る色管理方法および装置を添付の図面に示す好適な実施の形態に基づいて以下に詳細に説明する。
図１および図２は、本発明の色管理方法を実施する本発明の色管理装置を適用するイメージングシステムの一実施例を示すブロック図である。
【００２０】
図１に示すイメージングシステム１０は、被写体１２または被写体１２を撮影したカラーネガティブフィルムやカラーポジティブフィルムなどの撮影媒体（メディア）１３の担持画像、すなわち原画像１４と、この原画像１４を収録する撮像デバイス１６と、撮像デバイス１６で収録して得た画像データ（ＲＧＢ）に被写体１２を直接撮影する撮像デバイス１６または撮影媒体１３のＲＧＢ３原色の分光感度をタグ（付帯情報）として付与し、入力撮像系の媒体またはデバイスの分光感度がタグとして付与されたＲＧＢ画像データを出力デバイス２０に供給する情報供給手段１８と、供給された画像データを露光濃度への変換や硬調化処理などを行う画像処理手段２２と、供給された分光感度に基づいて出力デバイス２０で用いられる原色に関する、中性化積分濃度プロファイルを作成するプロファイル作成手段２４と、画像処理手段２２によって画像処理された供給画像データをプロファイル作成手段２４によって作成された中性化積分濃度プロファイルに従って出力デバイス２０（例えば、デジタルフォトプリンタ３０やモニタ３２）に固有の信号（デバイスディペンデントデータ；ＤＤＤ）に変換する変換手段２６と、出力デバイス２０として、この固有の信号に基づいて、被写体１２が再現されたカラーペーパー（ＣＰ、反射媒体）３４を出力するデジタルフォトプリンタ３０または固有の信号に基づいて被写体１２が再現された表示画面（ＣＲＴ）３６を持つモニタ３２とを有する。
【００２１】
ここで、画像データとともに撮像系の分光感度を付帯情報（タグ）として出力デバイス２０に供給する情報供給手段１８、および出力デバイス２０の画像処理手段２２と、中性化積分濃度プロファイル作成手段２４と、このプロファイルを用いた出力デバイス２０固有の信号への変換手段２６とは、本発明の色管理方法を実施する本発明の色管理装置３８を構成する。
【００２２】
ところで、本発明の色管理方法およびこの色管理方法を実施する色管理装置３８は、画像入力系の分光感度によって画像出力系の色管理を行うことを特徴とするものであるので、本発明において、画像入力系および画像出力系は、特に制限的ではなく、３つの一次独立な分光感度を有する画像入力系および３つ以上の原色からなる出力媒体に出力する画像出力系であれば、どのような画像入出力系であってもよく、その種類は限定されない。
【００２３】
例えば、画像入力系は、図１に示すように、被写体１２を原画像（Original）１４として直接、Ｒ（赤）、Ｇ（緑）およびＢ（青）光などのように３つの１次独立な分光感度を有するＣＣＤ等の固体撮像を持つデジタルカメラやビデオカメラなどの撮像デバイス１６で撮影して画像データを収録する系であってもよいし、被写体１２を一旦通常のアナログカメラ等によって３つの１次独立な分光感度を有するカラーネガティブフィルム（ＣＮＦ）やカラーポジティブフィルムなどの撮像媒体（カラーフィルムなどの透過画像媒体）１３に撮影し、撮影（現像）された画像を原画像１４としてスキャナなどの３つの１次独立な分光感度を有するＣＣＤを持つ撮像デバイス１６で画像データを収録する系であってもよい。さらに、画像入力系は、後述する図２に示すように、モニタ４２の表示画面に表示されている画像の３つの原色、すなわちモニタ表示画面に画像を表示するためのＲ，Ｇ，Ｂ画像データを直接利用する系であってもよい。
従って、換言すれば、本発明における画像入力系の原画像１４は、被写体１２自体であってもよいし、被写体１２を撮影した撮像媒体１３の担持画像であってもよいし、モニタ４２の表示画像であってもよいし、さらには、その他の手段で作成された透過画像媒体（ＯＨＰフィルムなどのカラーフィルム）であってもよい。このため、画像データの入力デバイスは、撮像デバイス１６およびモニタ４２などであるということができるし、入力画像媒体は、撮像デバイス１６の撮像媒体（ＭＯ，ＦＤ，ＨＤなど）、カラーフィルムなどの撮像媒体１３やモニタ４２の表示画面などであるということもできる。なお、図２に示すモニタ４２を画像入力系とするイメージングシステムの説明は後述する。
【００２４】
一方、画像出力系は、出力デバイスによって専用の３つ以上の原色からなる出力画像媒体に出力する系であればどのような系でもよく、例えば、デジタルプリンタ（ＤＰ）３０などによって画像が再現されたカラーペーパー（ＣＰ）３４を出力する系や、印刷機などによってシアン（Ｃ）、マゼンタ（Ｍ）、イエロー（Ｙ）および墨（Ｋ）の４色のインキで画像が再現された印刷物を出力する系や、モニタ３２の表示画面３６などに再現、表示する系などを挙げることができる。出力媒体の３つ以上の原色は、特に制限的ではなくすべての色を表示可能な３色、すなわち１次独立な３色の組み合わせ、もしくは、これらの３色と、これらに独立でない１色以上との組み合わせであればよいが、例えば、Ｒ，Ｇ，ＢやＣ，Ｍ，Ｙなどの３原色もしくはＣ，Ｍ，Ｙ，Ｋの４色などを挙げることができる。
【００２５】
ところで、本発明は、上述したように、種々の入出力媒体を用いる種々の入出力デバイスが混在するメディアミックスシステム（系）を対象とするものであるので、上述したように入出力系メディアまたはデバイス間の分光感度や原色の相違が大きく、色再現の精度を高水準に維持するためには、入出力系に応じた適切な色管理方法を採用する必要があるが、従来、多く用いられている原色による色管理方法、いわゆる原色法では、色再現の精度が不十分であり、色変換や色補正とセットアップとの処理順序を入れ替えることができないという問題があったことは、従来の技術において述べた通りである。
【００２６】
これに対し、本発明では、種々のメディアが混在するメディアミックスイメージングシステムにおいて、入力系（入力媒体または入力デバイス、例えば撮像媒体１３または撮像デバイス１６）の分光感度に基づいて色管理（カラーマネージメント）を行うことを特徴とするものである。
まず、本発明の色管理方法の特徴である分光感度に基づく色管理方法が、十分な色再現の精度を達成できること、およびセットアップと独立な色補正を行うことができ、今までの写真や印刷などの減法混色系のノウハウを適用できることについて説明する。
【００２７】
ここでは、撮像デバイス１６の分光感度のＱＦ（測色品質係数）が１の場合、すなわち撮像デバイス１６の分光感度と等色関数のズレに起因する誤差がなく、人間の目との間にズレがない場合の色補正（色変換）について考えると、この場合は、撮像デバイス１６の分光感度の意味でカラーマッチングあるいはメタマー（色光）を作れば良いことになる。ここで、被写体１２の分光エネルギ分布をｆ（λ）、撮像デバイス１６の分光感度をＢ（λ），Ｇ（λ），Ｒ（λ）、出力系（出力デバイス２０）の原色をＹ（λ），Ｍ（λ），Ｃ（λ）とする時、出力系の原色の混合により作られるメタマーｆ＊（λ）は、下記式（６）で表わされるが、このメタマーｆ＊（λ）は、下記式（７）を満たさなければならない。
ｆ＊（λ）＝ａＹＹ（λ）＋ａＭＭ（λ）＋ａＣＣ（λ）……（６）
ここで、ａＹ，ａＭ，ａＣは実数である。
【００２８】
【数４】
0003936041.tif 000005
【００２９】
ここで、上記式（６）を上記式（７）に代入すると、下記式（８）が得られるので、この式（８）を行列表示すると、下記式（９）となる。従って、求める出力系原色の混合比率は、下記式（１０）で与えられることになる。
【００３０】
【数５】
0003936041.tif 000006
【００３１】
一般に、上記式（１０）で示されるような減法混色系では、原色は一意的に定まらないが、出力媒体（出力メディア；カラーペーパー３４、モニタ表示画面３６）を撮像デバイス１６の分光感度で管理（プロファイルを作成）して、図３（ａ）に示す系を構成すれば、完全な色補正（色変換）がなされることになる。
撮影メディアとしては、カラーネガフィルム（例えば富士写真フイルム（株）製フジカラーSUPER G ACE 400 、フジカラーREALA ACE 、フジカラー「ネクシアＡ」、フジカラー写ルンですスーパースリムFlash ）、カラーリバーサルフィルム（例えば、同社製フジクロームSensia 100、フジクロームVelvia、フジクロームPROVIA 100）、特開平９−１５８０６号公報記載の熱現像カラーネガフィルム等が挙げられる。また、出力メディアとしては、例えば同社製フジカラーペーパーＱＬ、フジクロームペーパーの他、富士写真フイルム（株）製ピクトログラフィー３０００システム用のＰＧドナーおよびＰＧペーパー等が挙げられる。
【００３２】
ところで、撮像デバイス１６の分光感度が不完全な場合には、撮像デバイス１６の意味でメタマーであっても、人間にとってはメタマーでないようなケースが生ずる。このため、ＱＦ補正が要求されるが、前述したようにＱＦ補正は本質的に誤差の分散方法である。
ここで、人間が最も敏感に色差を感知し得る色はグレーである。このため、現在のイメージングデバイスは、グレーのインターフェース（数値が揃った時にグレーになる）を有し、いかなるデバイスを組み合わせても、グレーはグレーに仕上がるようになっている。銀塩（ハロゲン化銀）感光材料の分野では、シルバークライテリオンがこれに相当する。
このグレーインターフェースを誤差分散法として考えると、このインターフェースでは、グレーの誤差が０で、グレーから遠ざかるに従って誤差が増大するような方法になっている。すなわち、このグレーインターフェースは、誤差が視覚的に最も目立たないような方法になっている。
【００３３】
従って、本発明においても、ＱＦ補正を行うために、グレーインターフェースを付与する。単にグレーインターフェースを付与するだけならば、測色濃度でも十分である。しかしながら、測色濃度では、写真や印刷などの減法混色系のノウハウを盛り込みにくいという欠点がある。本発明の目的の一つは、写真や印刷などの減法混色系のノウハウを容易に盛り込めるシステムを構築することである。これらの減法混色系のノウハウは、基本的にブロック色素の概念に基づいており、その意味で等価中性濃度（ＥＮＤ）が一つの基準になっている。そこで、ＥＮＤを露光濃度（積分濃度）に拡張することによって、グレーインターフェースを導入することが可能となる。
【００３４】
ここで、等価中性濃度（ＥＮＤ）とは、解析濃度を測色グレーで規格化したものであるということができる。この概念に基づいて露光濃度（積分濃度）をグレーで規格化すれば、ＥＮＤと同じ性質を持った信号が得られる。本発明では、これを中性化露光（積分）濃度（ＮＥＤ）と定義する。本発明においては、この中性化露光濃度（ＮＥＤ）を用いて、図３（ｂ）に示されるようなシステムを構成することにより、ＱＦ（測色品質係数）を補正することができ、かつ容易に減法混色系のノウハウを適用することができる。図３（ｂ）に示されるイメージングシステムにおいて、中性化露光濃度（ＮＥＤ）を露光濃度（ｌｏｇＥ）に変換するためのルックアップテーブル（ＬＵＴ）は、図６に示されるように、カラーペーパー３４の色材で作ったグレースケールに対して、縦軸に撮像デバイス１６の露光濃度（ＤＲ，ＤＧ，ＤＢ）を、横軸に視感濃度（ＤＶ）をプロットして得られる３本の１次元ルックアップテーブルである。
この方法は、セットアップと独立であり、直ちに図１および図２に示すような種々のイメージングシステムに適用することが可能である。
【００３５】
従って、図１および図２に示す本発明の色管理装置３８および４８では、情報供給手段１８によって撮像デバイス１６の分光感度をタグとして画像データとともに出力デバイス２０に供給し、この分光感度に基づいた出力デバイス２０の出力媒体の原色に関する色管理（色補正）プロファイル、すなわち中性化露光（積分）濃度プロファイルをプロファイル作成手段２４によって作成し、変換手段２６によって、このプロファイルに従って画像データを出力デバイス２０に固有の信号に変換することにより、セットアップと独立に、完全な色補正を達成できるし、従来の減法混色系のノウハウを容易に適用できる。
【００３６】
図１に示す本発明の色管理装置３８においては、情報供給手段１８は、画像入力系の撮像媒体１３や撮像デバイス１６（以下、撮像デバイス１６で代表する）の分光感度をタグとして、撮像デバイス１６によって原画像１４から収録された画像データとともに出力デバイス２０に供給するものである。ここで、情報供給手段１８は、画像データを得るために用いた撮像デバイス１６の分光感度をタグとして画像データに付加した画像情報を出力デバイス２０に供給できるものであれば、どのようなものでもよく、例えばデジタルカメラ、ビデオカメラ、スキャナなどの出力デバイス２０とライン接続や通信することで情報伝達が可能となる撮像デバイス１６内の画像メモリ（フレームメモリ、ＨＤなど）であってもよいし、画像データのタグとして撮像デバイス１６の分光感度が付加された画像データを記憶する記憶媒体、例えば、ＦＤ（Ｚｉｐなどの大容量ＦＤ）、ＨＤ、ＭＯ、ＣＤなどの磁気記録媒体、光磁気記録媒体、光記録媒体などであってもよく、これらの記憶媒体を出力デバイス２０の駆動装置にセットすることにより、記憶媒体に記録されている画像データを出力デバイス２０内に供給することができる。
【００３７】
なお、情報供給手段１８は、画像データとともに撮像デバイス１６の分光感度をタグ（付帯情報）として出力デバイス２０に供給するものであるが、画像データと分光感度とは、同時に供給してもよいし、画像データのタグとして入力デバイスの分光感度との対応がつけば、別々に供給してもよく、供給する方法およびタイミングには限定されない。例えば、画像データ毎にタグとして分光感度を供給してもよいが、同一の入力デバイスによって得られた複数の画像データ、特に一連の画像データに対しては、それらの画像データの先頭、最後、または途中に、もしくはこれらの画像データとは別途に、好ましくは予め、タグとしてその入力デバイスの分光感度を供給するものであってもよい。従って、画像データとそのタグとしての分光感度を供給する方法は、同一の画像記憶媒体で供給するなど同じであってもよいし、画像データは画像記憶媒体で、分光感度は別の画像記憶媒体や直接通信による供給や直接入力など全く別であってもよい。
【００３８】
ここで、情報供給手段１８によって出力デバイス２０に供給される画像データは、セットアップとの独立性を考慮して、光学濃度または露光濃度のような対数スケールの画像データであるのが好ましく、有効露光量（ｌｏｇＥ）に変換された画像データであるのがよい。しかし、本発明は、このような画像データとして対数スケールの有効露光量（ｌｏｇＥ）を媒介信号とするイメージングシステムに適用されるものに限定されず、後述するが、べき指数γ（０＜γ≦１）を用いる、べきスケールのモニタ信号（γ＝１／２．２）や測色値（γ＝１／３）などを媒介信号とするイメージングシステムに直ちに適用できるものであることはいうまでもない。
【００３９】
出力デバイス２０の画像処理手段２２は、情報供給手段１８によって供給された対数スケールの画像データに硬調化処理などの画像処理を施すためのものである。画像処理手段２２は、硬調化処理の他、彩度強調処理を施す。ここで、画像処理手段２２によって、硬調化処理や彩度強調処理などを施すのは、視覚的に好ましい画像を得るためである。
なお、情報処理手段１８によって供給される画像データが中性化積分濃度でない場合には、この画像処理手段２２によって、グレーによる規格化を行うのが好ましい。
【００４０】
一方、プロファイル作成手段２４は、情報供給手段１８によって供給された分光感度（データ）に基づいて、出力デバイス２０の出力媒体（カラーペーパー３４、印刷物およびモニタ表示画面３６）の３つ以上の原色に関する、中性化積分濃度プロファイルを作成するためのものである。ここで作成される中性化積分（露光）濃度プロファイルは、入力撮像系の分光感度に基づいて作成された出力デバイス２０の出力媒体の原色に関する、中性化された露光濃度のプロファイルであれば、どのようなものであってもよい。すなわち、このプロファイルは、入力デバイスの分光感度による光学濃度もしくは露光濃度と出力デバイス２０のデバイスデータ（ＤＤＤ；出力デバイス２０に固有の信号）との関係を記述するものである。このプロファイルの形態は、特に制限的ではないが、３次元ルックアップテーブル（３Ｄ−ＬＵＴ）もしくは、３Ｄ−ＬＵＴと３本の１Ｄ−ＬＵＴとの合成変換として作成するのが好ましい。
【００４１】
以下に、本発明において、プロファイル作成手段２４によって作成されるプロファイルの作成方法の一例について説明するが、本発明はこれに限定されない。
まず、出力デバイス２０のデバイスデータ（ＤＤＤ）を（ＱＬ１，ＱＬ２，ＱＬ３）とし、出力デバイス２０によって出力される波形をＣｏｌ（λ）とし、タグとして入力撮像系から供給される分光感度をＳｉ（λ）（ｉ＝Ｂ，Ｇ，Ｒ）すなわちＳＢ（λ），ＳＧ（λ），ＳＲ（λ）とする時、下記式（１１）に従って、入力されるデバイスデータ（ＱＬ１，ＱＬ２，ＱＬ３）に応じて出力される波形Ｃｏｌ（λ）に対して、供給された分光感度Ｓｉ（λ）を乗じて積分を行うことにより、分光感度による光学濃度Ｄｉを計算する（ただしｉ＝Ｂ，Ｇ，Ｒ）。
【００４２】
【数６】
0003936041.tif 000007
ここで、Ｗ（λ）は参照白色の分光波形を表わし、プリンタ３０の場合は白地の分光反射率、モニタ３２の場合は（２５５，２５５，２５５）を入力した時の発光波形を用いる。
【００４３】
なお、プリンタ３０の場合、上記光学濃度を標準観察光源Ｐ（λ）を用いて下記式（１２）のように定義してもよい。
【数７】
0003936041.tif 000008
【００４４】
上述したデバイスデータ（ＱＬ１，ＱＬ２，ＱＬ３）に対する、上記分光感度による光学濃度Ｄｉを計算する手続を、複数のデバイスデータ（例えば１０３点）に亘って実施すれば、図４（ａ）に示すように、デバイスデータ（ＱＬ１，ＱＬ２，ＱＬ３）と光学濃度（ＤＢ，ＤＧ，ＤＲ）に関する３次元ルックアップテーブル（３Ｄ−ＬＵＴ）が作成される。
【００４５】
一方、出力デバイス２０により出力されるグレー波形Ｇｒｙ（λ）に関して、上記分光感度ＳＢ（λ），ＳＧ（λ），ＳＲ（λ）および比視感度曲線Ｖ（λ）をそれぞれ乗じて積分することにより、光学濃度（ＤＢ，ＤＧ，ＤＲ）と視感濃度ＤＶを計算する。なお、出力デバイス２０により出力されるグレーは、測色グレーが一般的であるが、視覚的にグレーであると認められれば測色グレーに限定されない。
【００４６】
【数８】
0003936041.tif 000009
【００４７】
この手続を、明るさの異なる複数のグレー波形について実施し、図６に示すように、前記分光感度による光学濃度（ＤＢ，ＤＧ，ＤＲ）をグラフの縦軸に、視感濃度ＤＶを横軸にプロットすれば、図４（ｂ）に示すように、前記分光感度による光学濃度（ＤＢ，ＤＧ，ＤＲ）と視感濃度ＤＶに関する３本の１次元ルックアップテーブル（１Ｄ−ＬＵＴ）が作成される。
ここで、視感濃度ＤＶは、光学濃度（ＤＢ，ＤＧ，ＤＲ）をグレーで規格化したものであり、中性化積分濃度（中性化露光濃度（ＮＥＤ））ということができる。
なお、プリンタ３０の場合に、分光感度による光学濃度Ｄｉを上記式（１１）の代わりに上記式（１２）によって求める場合には、上記式（１３）および（１４）の代わりにそれぞれ下記式（１５）および（１６）を用いる必要がある。
【００４８】
【数９】
0003936041.tif 000010
【００４９】
ここで、図４（ａ）に示す３Ｄ−ＬＵＴによるデバイスデータ（ＱＬ１，ＱＬ２，ＱＬ３）から分光感度による光学濃度（ＤＢ，ＤＧ，ＤＲ）への変換と図４（ｂ）に示す３本の１Ｄ−ＬＵＴによる光学濃度（ＤＢ，ＤＧ，ＤＲ）から視感濃度ＤＶへの変換とを合成すると、図４（ｃ）に示すデバイスデータ（ＱＬ１，ＱＬ２，ＱＬ３）から視感濃度ＤＶへの変換が得られる。
こうして得られた図４（ｃ）に示す合成変換を、情報供給手段１８によって光学濃度または露光濃度（ＤＢ，ＤＧ，ＤＲ）として供給される画像データに対して、図４（ｄ）に示すように、逆向きに作用させれば、所望のデバイスデータ（ＱＬ１，ＱＬ２，ＱＬ３）を得ることができる。
【００５０】
すなわち、こうして、プロファイル作成手段２４は、中性化積分濃度プロファイルを作成する、すなわち図４（ｄ）に示すように、３本の１Ｄ−ＬＵＴと３Ｄ−ＬＵＴの合成変換を作成することができる。なお、中性化積分濃度プロファイルは、上述した３本の１Ｄ−ＬＵＴと３Ｄ−ＬＵＴとの合成変換プロファイルとして表わされているが、本発明はこれに限定されず、３Ｄ−ＬＵＴのみで作成してもよい。
【００５１】
次に、こうしてプロファイル作成手段２４によって予め作成された中性化積分濃度プロファイルは、出力デバイス２０の変換手段２６に供給される。
ここで、変換手段２６は、作成された中性化積分濃度プロファイルに従って、画像処理手段２２によって画像処理された画像データを出力デバイス２０に固有の信号であるデバイスデータに変換するものである。すなわち、プロファイルが３Ｄ−ＬＵＴである場合には、変換手段２６は、画像データを３Ｄ−ＬＵＴで処理してデバイスデータに変換する。もちろん、図４（ｃ）に示すようにプロファイルが３本の１Ｄ−ＬＵＴと３Ｄ−ＬＵＴからなる場合には、変換手段２６は、視感濃度に規格化された画像データ（ＤＶ，ＤＶ，ＤＶ）を３本の１Ｄ−ＬＵＴを用いて光学濃度（ＤＢ，ＤＧ，ＤＲ）に変換した後、３Ｄ−ＬＵＴを用いてデバイスデータ（ＱＬ１，ＱＬ２，ＱＬ３）に変換する。
【００５２】
このように中性化積分濃度プロファイルに従って画像データから変換手段２６によって変換されて得られたデバイスデータは、出力デバイス２０がデジタルプリンタ３０であれば、当該デジタルプリンタ３０に固有の信号であるし、モニタ３２であれば、当該モニタ３２の固有の信号である。従って、デジタルプリンタ３０からは、カラーペーパー３４上に原画像１４に対して高い色再現精度を持つ画像が再生された反射プリントが出力される。他方、モニタ３２においても、その表示画面３６に原画像１４に対して高い色再現精度を持つ画像が表示される。
【００５３】
図１に示すイメージングシステム１０は、被写体１２または被写体１２を撮影したカラーネガフィルムやカラーポジフィルムなどの撮像媒体１３を原画像１４とし、この原画像１４から撮像デバイス１６で画像データを収録して、色管理装置３８によって本発明の色管理方法を実施するものであるが、本発明はこれに限定されず、図２に示すイメージングシステム４０のように、モニタ４２の画像データを直接利用するものであってもよい。
【００５４】
図２に示すイメージングシステム４０は、原画像としてモニタ４２の表示画面に表示された画像のＲＧＢ３原色の画像データを情報供給手段１８に保持させるとともに、モニタ４２のＲＧＢ原色に対応する分光感度を求め、この分光感度を、近似手段４４によって、負の領域を持たない分光感度に近似し、近似分光感度を画像データとともに情報供給手段１８に保持させる点を除いて、図１に示すイメージングシステム１０と同一であるので、同一の構成要素には同一の番号を付し、その説明は省略する。
【００５５】
図２に示すイメージングシステム４０において、本発明の色管理装置４８は、供給部４６の近似手段４４と、情報供給手段１８と、出力デバイス２０の画像処理手段２２と、プロファイル作成手段２４と、変換手段２６とを有する。ここで近似手段４４は、モニタ４２のＲＧＢ原色に対応する分光感度が負の領域を持つため、負の領域を持たない分光感度に近似するためのものである。近似手段４４による近似方法としては、特に制限的ではないが、平均として良い近似を与えることができればよく、例えば、分光感度において隣接する正の部分を狭くすることによって負の領域を保証するエプスタイン近似などを挙げることができる。ここで、近似手段４４によって、負の領域を持つ分光感度を負の領域を持たない分光感度に近似することにより、対数スケールの媒介信号（光学濃度や露光濃度）を本形態の色管理においても用いることができる。
【００５６】
こうして、負の領域を持たない分光感度に近似された、モニタ４２のＲＧＢの分光感度をタグとして、モニタ４２のＲＧＢ画像データを情報供給手段１８によって、出力デバイス２０に供給する。この後、図１に示すイメージングシステム１０の色管理装置３８と同様にして、供給された分光感度に基づいてプロファイル作成手段２４が中性化積分プロファイルを作成し、変換手段２６がこの作成されたプロファイルに従って、画像処理手段２２で画像処理された画像データをデバイス固有の信号に変換する。こうして変換されたデバイスデータに従って、デジタルプリンタ３０はカラーペーパー３４に画像を再生し、プリントとして出力する。一方、別のモニタ３２でも、同様に表示画面３６に再生画像を出力する。
なお、図示例においては、モニタ４２のＲＧＢ原色に関する分光感度を負の領域のない分光感度に近似する近似手段４４は、供給手段１８の前段に設けられているが、本発明はこれに限定されず、プロファイル作成手段２４による中性化積分濃度プロファイルを作成する前であれば、どこに設けてもよく、出力デバイス２０のプロファイル作成手段２４の直前に設けてもよいし、プロファイル作成手段２４の内部に設け、プロファイル作成に先立って近似するようにしてもよい。
【００５７】
上述した例では、本発明の色管理方法を実施する色管理装置を適用するイメージングシステムは、光学濃度や露光濃度のような対数スケールを媒介色信号とするものであったが、本発明はこれに限定されず、０＜γ≦１を満足するγをべき指数とする、モニタ信号（γ＝１／２．２）や測色値（γ＝１／３）のようなべきスケールを媒介信号とするものであってもよい。
このように、媒介信号としてべきスケールの色信号を用いる場合には、プロファイル作成手段２４において、中性化積分濃度プロファイルを求める際に、上記式（１１）、（１３）および（１４）をそれぞれ下記式（１７）、（１８）および（１９）に置き換えればよい。こうすることにより、Flash Pix 規格のように、モニタ信号（γ＝１／２．２）を媒介信号とするイメージング系や、測色値（γ＝１／３）を媒介信号とするようなイメージング系に直ちに適用することができる。
【００５８】
【数１０】
0003936041.tif 000011
【００５９】
本発明の色管理装置およびこれを適用するイメージングシステムは、基本的に以上のように構成されるが、以下にその作用および色管理方法について詳細に説明する。
図１に示すイメージングシステム１０において、まず、被写体１２を直接デジタルカメラなどの撮像デバイス１６で撮影し、画像データを得る。もしくは、被写体１２を一旦アナログカメラによってカラーネガフィルム（ＣＮＦ）などの撮像媒体１３に撮影し、現像後、スキャナなどの撮像デバイス１６で収録し、画像データを得る。この後、得られた画像データとこの画像データにタグとして付与する撮像デバイス１６もしくは撮像媒体１３などの入力デバイスの分光感度を情報供給手段１８に保持させる。
【００６０】
一方、図２に示すイメージングシステム４０においては、モニタ４２のＲＧＢ原色に対応する分光感度を求め、近似手段４４によって負の領域を持たない分光感度に近似し、近似分光感度をタグとしてモニタ４２に表示されている画像データに付与し、画像データとともに情報供給手段１８に保持させる。
次に、情報供給手段１８は、出力デバイス２０に画像データとともに入力デバイスの分光感度をタグとして供給する。
【００６１】
出力デバイス２０においては、供給された分光感度に基づいて出力デバイス２０の出力媒体の原色に関する中性化積分濃度プロファイル、好ましくは３Ｄ−ＬＵＴまたは３本の１Ｄ−ＬＵＴと３Ｄ−ＬＵＴがプロファイル作成手段２４によって作成される。一方、供給された画像データには、画像処理手段２２によって、硬調化処理を始めとする種々の画像処理が施される。なお、この画像データが中性化積分濃度、すなわちグレーによって規格化された分光感度による光学濃度または露光濃度でない場合には、その画像データはこの画像処理手段２２によってグレーによる規格化が行われる。
【００６２】
画像処理された画像データは、変換手段２６によって中性化積分濃度プロファイル（３Ｄ−ＬＵＴなど）に従って、出力デバイス２０、例えばデジタルプリンタ３０またはモニタ３２に固有の信号に変換される。出力デバイス２０は、画像データが変換されたデバイス固有の信号によって画像を再生する。すなわち、デジタルプリンタ３０であれば、カラーペーパー３４上にカラー画像を再生し、反射プリントとして出力し、モニタ３２であればその表示画面３６にカラー再生画像を出力する。
【００６３】
【実施例】
以下に、本発明の色管理方法および色管理装置を実施例を挙げて具体的に説明する。
（実施例１）
本発明の色管理方法を検証するために、本発明の分光感度による色管理方法（ここでは、分光感度法という）と従来の原色法との色再現精度を数値計算により比較した。この数値計算に用いた条件は以下の通りである。
被写体  ；マクベスチャート
分光感度；カラーネガフィルムフジカラーSUPER G ACE 400 （以下、ＳＧ４００                  という；富士写真フイルム（株）製）
照明光源；色評価用蛍光灯
【００６４】
なお、本発明の分光感度法は、図５（ｂ）に示すように、露光濃度をグレーで規格化したＮＥＤ（中性化露光濃度）に変換した後、分光感度に基づく中性化露光濃度プロファイルに従って変換する方法を採用した。一方、従来の原色法は、図５（ａ）に示すように、露光濃度と測色濃度を３行３列のマトリクスでつなぐ方法を採用し、マトリクスの係数は平均色差が最小になるように最適化したものを用いた。以下の表１に、色再現精度の比較結果を示す。
表１．色再現精度の比較
平均色差      最大色差
原色法        ４．６０    １６．２８
分光感度法    ２．４８      ９．６９
表１から明らかなように、本発明の分光感度法は、特定の最適化を行っていないにもかかわらず、従来の原色法に比べて高い色再現精度を有していることが判る。
【００６５】
本発明の分光感度法と従来の原色法の構成上の相違として、前者が色補正とＱＦ補正を一括処理しているのに対して、後者は色補正と出力系変換を一括処理している点が挙げられる。
表２．構成上の相違
原色法        分光感度法
色補正      マトリクス    ３Ｄ−ＬＵＴ
ＱＦ補正    マトリクス    規格化操作
出力系変換  ３Ｄ−ＬＵＴ  ３Ｄ−ＬＵＴ
ここで、表２において、３種の構成要件を比較すると、色補正と出力系変換は同じ概念に属するが、ＱＦ補正は全く別の概念である。すなわち、色補正と出力系変換を一括処理するのは合理的であるが、色補正とＱＦ補正を一括処理するのは、少なくとも理論的には合理性がないと考えられる。本発明の分光感度法の色再現精度が、従来の原色法に比べて高いのは、こうした理由によるものと思われる。
【００６６】
（実施例２）
実施例１の数値計算結果を実技プリントにより検証した。実験の条件は、実施例１の数値計算による検証と同一とした。但し、カラーネガフィルムＳＧ４００は重層効果があるので、これをキャンセルするために、３次元ルックアップテーブル（３Ｄ−ＬＵＴ）の手法を用いてレーザープリンタ（ＣＳＩ社製）のレーザーの対数露光量（ｌｏｇＥ）に変換したデータを用いた。
従来の原色法および本発明の分光感度法のプリントサンプル作成の手順をそれぞれ図５（ａ）および（ｂ）に示す。
得られた実技プリントサンプルから、本発明の分光感度法によるプリントサンプル３４の方が、従来の原色法によるプリントサンプルより、高い色再現精度を有しているという上記数値計算の結果が確認された。
【００６７】
（実施例３）
図１に示すイメージングシステム１０において本発明の色管理装置３８を用いて本発明の色管理方法を実施し、被写体１２から反射プリント（カラーペーパー）３４を作成した。
予め、デジタルカラープリンタ；ピクトログラフィー（ＰＧ）３０００（富士写真フイルム（株）製）の専用印画紙（ＰＧドナーおよびＰＧペーパー（共に富士写真フイルム（株）製）に対して、カラーネガフィルムＳＧ４００（富士写真フイルム（株）製）の分光感度による中性化積分濃度を求め、プリンタＰＧ３０００のプリンタ信号と中性化積分濃度に関する中性化積分濃度プロファイルとなる３次元ルックアップテーブル（３Ｄ−ＬＵＴ）を作成しておく。
【００６８】
この後、図７に示す手順に従って、反射プリントを作成した。まず、被写体をカラーネガフィルムＳＧ４００を用いて撮影し、現像後、ドラムスキャナＳＧ１０００（大日本スクリーン社製）を用いて収録し、画素毎の露光濃度（Ｂ１，Ｇ１，Ｒ１）に変換する。
【００６９】
この露光濃度（Ｂ１，Ｇ１，Ｒ１）に下記式（２０）に示すような硬調化処理を施し、硬調化露光濃度（Ｂ２，Ｇ２，Ｒ２）を得た。
Ｂ２＝１．５・Ｂ１
Ｇ２＝１．５・Ｇ１                    ……（２０）
Ｒ２＝１．５・Ｒ１
【００７０】
予め、作成された３Ｄ−ＬＵＴを用いて硬調化露光濃度（Ｂ２，Ｇ２，Ｒ２）をプリンタＰＧ３０００のプリンタ信号（Ｂ３，Ｇ３，Ｒ３）に変換し、プリンタＰＧ３０００を用いて出力したところ、被写体に極めて忠実な反射プリントが得られた。
【００７１】
（実施例４）
図２に示すイメージングシステム４０において本発明の色管理装置４８を用いて本発明の色管理方法を実施し、モニタ４２から反射プリント（カラーペーパー）３４を作成した。
予め、ＣＣＩＲ７０９に記載のモニタの分光感度をエプスタイン近似し、デジタルカラープリンタＰＧ３０００（富士写真フイルム（株）製）のＰＧドナーおよびＰＧペーパーに対して、このエプスタイン近似された分光感度による中性化積分濃度を求め、プリンタＰＧ３０００のプリンタ信号と中性化積分濃度に関する中性化積分濃度プロファイルとなる３次元ルックアップテーブル（３Ｄ−ＬＵＴ）を作成しておく。
【００７２】
この後、図８に示す手順に従って、反射プリントを作成した。まず、ＰＣモニタMultiscan17seII（ソニー社製）上に表示されている画像データ（Ｂ０，Ｇ０，Ｒ０）に対して下記式（２１）に示すような対数変換を施し、対数スケールの露光濃度（Ｂ１，Ｇ１，Ｒ１）を得た。
Ｂ１＝−ｌｏｇ（Ｂ０／２５５）２．２
Ｇ１＝−ｌｏｇ（Ｇ０／２５５）２．２      ……（２１）
Ｒ１＝−ｌｏｇ（Ｒ０／２５５）２．２
この露光濃度（Ｂ１，Ｇ１，Ｒ１）に下記式（２２）に示すような硬調化処理を施し、硬調化露光濃度（Ｂ２，Ｇ２，Ｒ２）を得た。
Ｂ２＝１．５・Ｂ１
Ｇ２＝１．５・Ｇ１                      ……（２２）
Ｒ２＝１．５・Ｒ１
【００７３】
予め、作成された３Ｄ−ＬＵＴを用いて硬調化露光濃度（Ｂ２，Ｇ２，Ｒ２）をプリンタＰＧ３０００のプリンタ信号（Ｂ３，Ｇ３，Ｒ３）に変換し、プリンタＰＧ３０００を用いて出力したところ、モニタ画像に極めて忠実な反射プリントが得られた。
【００７４】
本発明に係る色管理方法および装置は、基本的に以上のように構成されるが、本発明はこれに限定されず、本発明の要旨を逸脱しない範囲において、種々の改良や設計の変更があってもよいことはもちろんである。
【００７５】
【発明の効果】
以上詳述したように、本発明によれば、従来の測色マトリックスを用いる原色法に比べ、極めて高い色再現精度を達成することができる。また、本発明によれば、セットアップと処理順序を入れ替えることができ、実用性も高い。
さらに、等価中性濃度を積分濃度（光学濃度、露光濃度）に拡張した中性化積分濃度を用いて色変換（色補正）を行うので、減法混色系とのマッチングもよく、現在までに写真や印刷で培われた減法混色系特有の絵作りのノウハウや、ＵＣＣ（下色圧縮）アルゴリズム等を容易に適用することができる。
従って、本発明は、特に簡便さよりも精度が要求される写真や印刷などのハードコピーを出力する系のスキームとして有効であり、工業的な価値が高い。
【図面の簡単な説明】
【図１】  本発明に係る色管理方法を実施する色管理装置を適用するイメージングシステムの一実施例のブロック図である。
【図２】  本発明に係る色管理方法を実施する色管理装置を適用するイメージングシステムの別の実施例のブロック図である。
【図３】  （ａ）および（ｂ）は、それぞれ本発明の色管理方法のフローの一例を示す説明図である。
【図４】  （ａ），（ｂ），（ｃ）および（ｄ）は、それぞれ本発明の色管理方法における中性化積分濃度プロファイルの作成手順を示す説明図である。
【図５】  （ａ）および（ｂ）は、それぞれ実施例１および２で実施された従来の原色法と本発明の色管理方法（分光感度法）のフローの一例を示す説明図である。
【図６】  本発明の色管理方法に用いられるルックアップテーブルの内容の一例を示すグラフであり、ＢＧＲ３色の露光濃度と視感濃度との関係を示す。
【図７】  実施例３で実施された本発明の色管理方法のフローの一例を示す説明図である。
【図８】  実施例４で実施された本発明の色管理方法のフローの一例を示す説明図である。
【図９】  従来の色管理方法の色補正の説明図である。
【図１０】  （ａ）および（ｂ）は、それぞれ従来の色管理方法のフローを示す説明図である。
【符号の説明】
１０，４０  イメージングシステム
１２  被写体
１３  撮像媒体（カラーフィルム）
１４  原画像
１６  撮像デバイス
１８  情報供給手段
２０  出力デバイス
２２  画像処理手段
２４  プロファイル作成手段
２６  変換手段
３０  デジタルプリンタ
３２  モニタ
３４  カラーペーパー
３６  表示画面
３８，４８  色管理装置
４２  モニタ
４４  近似手段
４６  供給部
【図１】
0003936041.tif 000012
【図２】
0003936041.tif 000013
【図３】
0003936041.tif 000014
【図４】
0003936041.tif 000015
【図５】
0003936041.tif 000016
【図６】
0003936041.tif 000017
【図７】
0003936041.tif 000018
【図８】
0003936041.tif 000019
【図９】
0003936041.tif 000020
【図１０】
0003936041.tif 000021